(57)【特許請求の範囲】
【請求項１】
上面中央に下方に延びた円形の軸支持孔を有する樹脂製の箱形のケースと、上方に操作用のつまみ部を有し、下方の円形軸部が上記ケースの軸支持孔に回動可能に支持されるように上記ケース上に装着され、所定角度の回動により接点部の開閉を行なう樹脂製の駆動体と、この駆動体の所定の回動角度の中点において最も接近するように、上記ケースの内壁部に設けた支持溝および上記ケース内に突出した上記駆動体の突出部に設けた支持孔からなる、上記ケースの軸支持孔と平行な二つの細長い支持部により、両端のアーム部先端が上記ケースの軸支持孔と平行となるように略直角に折り曲げられた直線状の被支持部が回動可能で上下方向に抜けないように支持された弾発形のねじりコイルばねからなり、上記ねじりコイルばねの一方のアーム部先端の被支持部を支持するために上記ケースの内壁部に設けた支持溝が上記ケースの軸支持孔の方向に開口部を有するＵ字形で、上記ケース内に突出した上記駆動体の突出部に設けた支持孔が円形であり、上記支持溝の端部から上記ねじりコイルばねの線径よりも少し広い隙間を空けて、上記ねじりコイルばねの被支持部の抜け止め部を設けた節度機構を備えたスイッチ。
【請求項２】
上面中央に下方に延びた円形の軸支持孔を有する樹脂製の箱形のケースと、上方に操作用のつまみ部を有し、下方の円形軸部が上記ケースの軸支持孔に回動可能に支持されるように上記ケース上に装着され、所定角度の回動により接点部の開閉を行なう樹脂製の駆動体と、この駆動体の所定の回動角度の中点において最も接近するように、上記ケースの内壁部に設けた支持溝および上記ケース内に突出した上記駆動体の突出部に設けた支持孔からなる、上記ケースの軸支持孔と平行な二つの細長い支持部により、両端のアーム部先端が上記ケースの軸支持孔と平行となるように略直角に折り曲げられた直線状の被支持部が回動可能で上下方向に抜けないように支持された弾発形のねじりコイルばねからなり、上記ねじりコイルばねの一方のアーム部先端の被支持部を支持するために上記ケースの内壁部に設けた支持溝が、この支持溝の中心と上記ケースの軸支持孔中心を結ぶ直線を中心線とする開き角度９０°以下のＶ字形で、この位置における上記ねじりコイルばねのアーム部先端の被支持部の回動角度が上記支持溝の開き角度よりも小さく、上記支持溝の端部から上記ねじりコイルばねの線径よりも少し広い隙間を空けて、上記ねじりコイルばねの被支持部の抜け止め部を有すると共に、上記ケース内に突出した上記駆動体の突出部に設けた支持孔が円形である節度機構を備えたスイッチ。
【請求項３】
ケースの軸支持孔の中心と上記ケースの内壁部に設けた支持溝と上記ケース内に突出した駆動体の突出部に設けた支持孔が一直線になる位置において、ねじりコイルばねの一方のアーム部先端にこの直線と一致する方向に折り曲げた中間曲げ部を設け、その先端を上記ケースの軸支持孔と平行に折り曲げて直線状の被支持部とすると共に、被支持部を支持する上記支持溝の端部に抜け止め部を設けた請求項２記載の節度機構を備えたスイッチ。
【請求項４】
ねじりコイルばねの一方のアーム部先端の被支持部を支持するためにケース内に突出した駆動体の突出部に設ける支持孔を、円形軸部と反対側に支持孔よりも大きな径の孔を一体に設けて略ダルマ形の孔とした請求項１〜３のいずれか一つに記載の節度機構を備えたスイッチ。
【請求項５】
ケース内に突出した駆動体の突出部に設ける略ダルマ形の支持孔に対し、小径部にねじりコイルばねの一方のアーム部先端の被支持部を挿入支持し、大径部にビスをねじ込み、その頭部を上記被支持部の抜け止め部とすると共に、上記駆動体の回動時に上記ねじりコイルばねのアーム部先端が上記ビスのねじ部と接触しないように逃がすための曲げ部を、上記被支持部の折り曲げ根元部に設けた請求項４記載の節度機構を備えたスイッチ。
【発明の詳細な説明】
【０００１】
【発明の属する技術分野】
本発明は、車載用の電子機器等において電源の開閉等に使用する、節度機構を備えたスイッチに関するものである。
【０００２】
【従来の技術】
従来のこの種のスイッチは、車載用のイグニッションスイッチやブロアスイッチ等に見られるように、ロータリー式のものが多く使用されており、その回転操作時の節度を得るための機構は下記のようなものであった。
【０００３】
図１３は従来の節度機構を備えたスイッチの外観斜視図、図１４はその節度機構部を説明する要部断面図であり、同図において１は樹脂製の円形箱形のケース、２はケース１の内周に所定の角度範囲だけ回動可能なように嵌合保持された駆動体で、その上方に操作用のつまみ部２Ａを有すると共に、ケース１内に収容された部分の外周山形部２Ｂに、ケース１の壁部に設けられた孔１Ａ内に収容されたコイルスプリング３に付勢された硬質のボール４が弾接している。
【０００４】
そして、駆動体２のつまみ部２Ａを回動操作してケース１の下方に収容されたスイッチ接点部（図示せず）を開閉する際に、駆動体２の回動角度の終端において、コイルスプリング３に付勢されたボール４が駆動体２の外周山形部２Ｂの凹部２Ｃ内にはまり込むことにより、節度感を生じるものであった。
【０００５】
【発明が解決しようとする課題】
しかしながら上記従来の節度機構を備えたロータリー式のスイッチにおいては、駆動体２はケース１の内周で嵌合保持されているため回動時の嵌合部分での摩擦抵抗が大きいと共に、スイッチの切換え操作時に、駆動体２のつまみ部２Ａを回動操作してボール４を駆動体２の外周山形部２Ｂに弾接させながら滑らせるものであるため、この部分の摩擦のため滑らかな操作感触を得難いと共に、外周山形部２Ｂの中間の部分で止まり易く、スイッチの開閉切換えが完了しない不安定な状態で止まることがあるという課題があった。
【０００６】
本発明は、このような従来の課題を解決するものであり、簡単な構成でありながら動作が確実で、操作時に良好な節度感を有し、しかも組み立ての容易な節度機構を備えたスイッチを提供することを目的とする。
【０００７】
【課題を解決するための手段】
上記課題を解決するために本発明の節度機構を備えたスイッチは、接点部の開閉を行なう駆動体を、ケース中央の軸支持孔で回動可能に支持すると共に、弾発形のねじりコイルばねの両端のアーム部先端がケースの軸支持孔と平行となるように折り曲げられた直線状の被支持部を、駆動体の回動角度の中点において最も接近するように、ケースの内壁部に設けた支持溝および駆動体の突出部に設けた支持孔により支持する構成とした節度機構を備えたスイッチとするものである。
【０００８】
これにより、簡単な構成でありながら動作が確実で、操作時に良好な節度感を有し、しかも組み立ての容易な節度機構を備えたスイッチを得ることができる。
【０００９】
【発明の実施の形態】
本発明の請求項１に記載の発明は、上面中央に下方に延びた円形の軸支持孔を有する樹脂製の箱形のケースと、上方に操作用のつまみ部を有し、下方の円形軸部が上記ケースの軸支持孔に回動可能に支持されるように上記ケース上に装着され、所定角度の回動により接点部の開閉を行なう樹脂製の駆動体と、この駆動体の所定の回動角度の中点において最も接近するように、上記ケースの内壁部に設けた支持溝および上記ケース内に突出した上記駆動体の突出部に設けた支持孔からなる、上記ケースの軸支持孔と平行な二つの細長い支持部により、両端のアーム部先端が上記ケースの軸支持孔と平行となるように略直角に折り曲げられた直線状の被支持部が回動可能で上下方向に抜けないように支持された弾発形のねじりコイルばねからなり、上記ねじりコイルばねの一方のアーム部先端の被支持部を支持するために上記ケースの内壁部に設けた支持溝が上記ケースの軸支持孔の方向に開口部を有するＵ字形で、上記ケース内に突出した上記駆動体の突出部に設けた支持孔が円形であり、上記支持溝の端部から上記ねじりコイルばねの線径よりも少し広い隙間を空けて、上記ねじりコイルばねの被支持部の抜け止め部を設けた節度機構を備えたスイッチとしたものであり、駆動体の円形軸部を中央の円形孔で支持する構成であるため回転時の抵抗が小さく、簡単な構成でありながら動作が確実で、操作時にねじりコイルばねがスムーズに動き良好な節度感が得られると共に、節度機構にねじりコイルばねを組み込む際に、ねじりコイルばねの一方のアーム部先端の直線状の被支持部を駆動体の突出部の支持孔に挿入した後、他方のアーム部先端の直線状の被支持部をケースの内壁の支持溝に側方からはめ込むことによって、組み立てが容易にできる節度機構を備えたスイッチを実現できるという作用を有する。
さらに、ねじりコイルばねの形状が単純で加工が容易であると共に、支持部による保持が確実で操作時にねじりコイルばねが傾き難いので、動作が安定しているという作用を有する。
【００１１】
請求項２に記載の発明は、上面中央に下方に延びた円形の軸支持孔を有する樹脂製の箱形のケースと、上方に操作用のつまみ部を有し、下方の円形軸部が上記ケースの軸支持孔に回動可能に支持されるように上記ケース上に装着され、所定角度の回動により接点部の開閉を行なう樹脂製の駆動体と、この駆動体の所定の回動角度の中点において最も接近するように、上記ケースの内壁部に設けた支持溝および上記ケース内に突出した上記駆動体の突出部に設けた支持孔からなる、上記ケースの軸支持孔と平行な二つの細長い支持部により、両端のアーム部先端が上記ケースの軸支持孔と平行となるように略直角に折り曲げられた直線状の被支持部が回動可能で上下方向に抜けないように支持された弾発形のねじりコイルばねからなり、上記ねじりコイルばねの一方のアーム部先端の被支持部を支持するために上記ケースの内壁部に設けた支持溝が、この支持溝の中心と上記ケースの軸支持孔中心を結ぶ直線を中心線とする開き角度９０°以下のＶ字形で、この位置における上記ねじりコイルばねのアーム部先端の被支持部の回動角度が上記支持溝の開き角度よりも小さく、上記支持溝の端部から上記ねじりコイルばねの線径よりも少し広い隙間を空けて、上記ねじりコイルばねの被支持部の抜け止め部を有すると共に、上記ケース内に突出した上記駆動体の突出部に設けた支持孔が円形である節度機構を備えたスイッチとしたものであり、駆動体の円形軸部を中央の円形孔で支持する構成であるため回転時の抵抗が小さく、簡単な構成でありながら動作が確実で、操作時にねじりコイルばねがスムーズに動き良好な節度感が得られると共に、節度機構にねじりコイルばねを組み込む際に、ねじりコイルばねの一方のアーム部先端の直線状の被支持部を駆動体の突出部の支持孔に挿入した後、他方のアーム部先端の直線状の被支持部をケースの内壁の支持溝に側方からはめ込むことによって、組み立てが容易にできる節度機構を備えたスイッチを実現できるという作用を有する。
さらに、節度機構にねじりコイルばねを組み込む作業が容易であると共に、ねじりコイルばねの弾発力によってケースの内壁部の支持溝に押し付けられたアーム部先端の被支持部が支持溝の開口部および端部のいずれからも外れ難いという作用を有する。
【００１２】
請求項３に記載の発明は、請求項２に記載の発明において、ケースの軸支持孔の中心と上記ケースの内壁部に設けた支持溝と上記ケース内に突出した駆動体の突出部に設けた支持孔が一直線になる位置において、ねじりコイルばねの一方のアーム部先端にこの直線と一致する方向に折り曲げた中間曲げ部を設け、その先端を上記ケースの軸支持孔と平行に折り曲げて直線状の被支持部とすると共に、被支持部を支持する上記支持溝の端部に抜け止め部を設けたものであり、請求項２に記載の発明による作用に加えて、ケースの内壁部のＶ字溝と抜け止め部の間に隙間を設ける必要がないので、その分だけ節度機構全体の高さ寸法を低くすることができると共に、ケースを製作する成形金型の構造を簡単にすることができるという作用を有する。
【００１３】
請求項４に記載の発明は、請求項１〜３のいずれか一つに記載の発明において、ねじりコイルばねの一方のアーム部先端の被支持部を支持するためにケース内に突出した駆動体の突出部に設ける支持孔を、円形軸部と反対側に支持孔よりも大きな径の孔を一体に設けて略ダルマ形の孔としたものであり、ねじりコイルばねの一方のアーム部先端の被支持部をこの支持孔内に容易に挿入組み立てすることができて、丸孔の支持孔の場合と同様に安定して支持できると共に、駆動体を製作する成形金型の支持孔を形成するためのピンを強いものにすることができるという作用を有する。
【００１４】
請求項５に記載の発明は、請求項４に記載の発明において、ケース内に突出した駆動体の突出部に設ける略ダルマ形の支持孔に対し、小径部にねじりコイルばねの一方のアーム部先端の被支持部を挿入支持し、大径部にビスをねじ込み、その頭部を上記被支持部の抜け止め部とすると共に、上記駆動体の回動時に上記ねじりコイルばねのアーム部先端が上記ビスのねじ部と接触しないように逃がすための曲げ部を、上記被支持部の折り曲げ根元部に設けたものであり、請求項４に記載の発明による作用に加えて、突出部に設ける略ダルマ形の支持孔の大径部にねじ込んだビスにより、ねじりコイルばねの一方のアーム部先端の被支持部が小径部から大径部側へ動くこと、および被支持部がこの支持孔から抜けることを完全に防止できるという作用を有する。
【００１５】
以下、本発明の実施の形態について、図面を用いて説明する。
なお、従来の技術の項で説明した構成と同一構成の部分には同一符号を付して、詳細な説明を省略する。
【００１６】
（実施の形態１）
図１は本発明の第１の実施の形態による節度機構を備えたスイッチの側面断面図、図２は同下面図、図３は同分解斜視図である。
【００１７】
同図において１１は樹脂製の円形箱形のケースで、このケース１１により樹脂製の駆動体１２が所定の角度範囲だけ回動可能なように係合支持され、その上方に操作用のつまみ部１２Ａを有することは従来の技術の場合と同様であるが、駆動体１２は、その下部の、先端に抜け止め用爪１２Ｃを有する円形軸部１２Ｂをケース１１上面から下方に延びた円形の軸支持孔１１Ａに挿入嵌合させることにより、上下動はしないが回動可能に保持されており、その下面からケース１１内への突出部１２Ｄをケース１１上面の開口部１１Ｂの端部に当てることによって、回動角度範囲を規制されている。
【００１８】
そして、１３は弾性を有する金属線を折り曲げて形成された弾発形のねじりコイルばねで、その両端のアーム部１３Ａ，１３Ｂが上記の駆動体１２の回動面と平行に動くように配されて、アーム部１３Ａ，１３Ｂの先端は上記ケース１１の軸支持孔１１Ａと平行となるように略直角に上方へ折り曲げられた直線状の被支持部１３Ｃ，１３Ｄとなっており、この被支持部１３Ｃ，１３Ｄがそれぞれケース１１の内壁部に、軸支持孔１１Ａと平行で軸支持孔１１Ａの方向が開口部となるように設けられた細長いＵ字形の支持溝１１Ｃ、および駆動体１２の突出部１２Ｄ先端から上方に向けて設けられた細径の円形の支持孔１２Ｅにより支持されている。
【００１９】
ここで、このケース１１のＵ字形の支持溝１１Ｃおよび駆動体１２の円形の支持孔１２Ｅの位置は、駆動体１２の回動角度範囲の中点位置において最も接近するように設定されているため、通常状態において駆動体１２は、ねじりコイルばね１３の弾発力によって、支持溝１１Ｃと支持孔１２Ｅが最も離れた位置すなわち駆動体１２の回動可能範囲の終端位置で止まっている（図２の下面図は左回転の終端位置を示す。）。
【００２０】
また、１４はねじりコイルばね１３の抜け止め用の突部で、ねじりコイルばね１３の両端のアーム部１３Ａ，１３Ｂの先端の被支持部１３Ｃ，１３Ｄがケース１１の支持溝１１Ｃおよび駆動体１２の支持孔１２Ｅから下方に抜けることを防いでいるが、駆動体１２の回動時のねじりコイルばね１３の動きを妨げないよう、図４のケースの部分断面拡大斜視図に示すように、Ｕ字形の支持溝１１Ｃの端部からねじりコイルばね１３（図示せず）の線径よりも少し広い隙間１４Ａを空けて設けられている。
【００２１】
ここで、上記のケース１１のＵ字形の支持溝１１Ｃおよび駆動体１２の円形の支持孔１２Ｅにねじりコイルばね１３を挿入支持させる方法は、まず、ねじりコイルばね１３の一方のアーム部１３Ｂ先端の被支持部１３Ｄを支持孔１２Ｅに下方から挿入した後、他方のアーム部１３Ａをアーム部１３Ｂの方に押し縮めて、その先端の被支持部１３ＣをＵ字形の開口部側から支持溝１１Ｃ内にばね弾発力を利用して挿入するものであり、この時、アーム部１３Ａは突部１４の上方の隙間１４Ａ内に位置している。
【００２２】
本実施の形態による節度機構は、以上のように構成されるものであり、この節度機構部に対して、駆動ピン１５Ａを押圧することにより開閉する接点部１５（詳細な説明は省略する）が駆動体１２のつまみ部１２Ａ下方の斜面１２Ｆに駆動ピン１５Ａが弾接するように基板１６を介して装着されている。
【００２３】
なお、１７は、基板１６をケース１１に取り付けるためのビスである。
次に、以上のように構成される本実施の形態による節度機構を備えたスイッチの動作について説明する。
【００２４】
まず、駆動体１２のつまみ部１２Ａを回動操作して、図２の下面図に示す状態から右回転させるとその突出部１２Ｄも右回転し、突出部１２Ｄに設けられた支持孔１２Ｅとケース１１の内壁部の支持溝１１Ｃとが接近することによって、支持孔１２Ｅと支持溝１１Ｃに支持されたねじりコイルばね１３の被支持部１３Ｄと１３Ｃの間隔が狭くなる。
【００２５】
すなわち、ねじりコイルばね１３のアーム部１３Ａと１３Ｂがそのばね弾発力に抗して押し縮められる。
【００２６】
そして、支持孔１２Ｅと支持溝１１Ｃが最も接近する位置である駆動体１２の回動角度範囲の中点位置を過ぎると、ねじりコイルばね１３のばね弾発力が支持孔１２Ｅと支持溝１１Ｃを押し離す方向に働き、駆動体１２は図５の下面図に示す右回転の終端位置まで止まることなく回動させられる。
【００２７】
一方、この駆動体１２の回動に伴って、駆動体１２のつまみ部１２Ａの下方の斜面１２Ｆに弾接した接点部１５の駆動ピン１５Ａは、その押し下げ高さが変わることにより接点部１５の電気的開閉を行ない、その信号が基板１６に取り付けられた端子１６Ａを介して外部に伝達される。
【００２８】
以上のように本実施の形態によれば、簡単な構成でありながら動作が確実で途中で止まり難く、操作時に良好な節度感を有し、しかも組み立ての容易な節度機構を備えたスイッチを得ることができるものである。
【００２９】
なお、上記の説明においては、ねじりコイルばね１３の両端のアーム部１３Ａ，１３Ｂ先端の被支持部１３Ｃ，１３Ｄの支持部として、ケース１１の内壁部に支持溝１１Ｃを駆動体２の突出部１２Ｄに支持孔１２Ｅを設ける場合について説明したが、これは、ケース１１の内壁部に支持孔を駆動体１２の突出部１２Ｄに支持溝と、反対に設けてもよいことは勿論である。
【００３０】
（実施の形態２）
図６は本発明の第２の実施の形態による節度機構を備えたスイッチの節度機構部の下面図であり、上記の実施の形態１に対し、樹脂製の円形箱形のケース１８の内壁部に、軸支持孔１８Ａと平行で軸支持孔１８Ａの方向が開口部となるように設けられた細長い支持溝１８Ｂの形状が異なっている。
【００３１】
すなわち、支持溝１８Ｂは、その中心と軸支持孔１８Ａの中心を結ぶ直線を中心線とする開き角度９０°以下のＶ字形となっている。
【００３２】
そして、図７のケースの部分断面拡大斜視図に示すように、その端部からねじりコイルばね１３（図示せず）の線径よりも少し広い隙間１９Ａを空けてねじりコイルばね１３の抜け止め用の突部１９が設けられていることは、実施の形態１の場合と同じである。
【００３３】
また、駆動体１２を回動操作する際に、ねじりコイルばね１３のアーム部１３Ａ先端の被支持部１３Ｃが、支持溝１８Ｂの奧の位置において回動する角度は支持溝１８Ｂの開き角度よりも小さく設定されている。
【００３４】
本実施の形態による節度機構を備えたスイッチの動作は、実施の形態１の場合と同じであるので説明を省略する。
【００３５】
本実施の形態によれば、ケース１８の支持溝１８ＢがＶ字形に開いているので、この支持溝１８Ｂおよび駆動体１２の円形の支持孔１２Ｅにねじりコイルばね１３を挿入支持させる際に、一方のアーム部１３Ｂ先端の被支持部１３Ｄを支持孔１２Ｅに挿入した後、アーム部１３Ａを押し縮めてその先端の被支持部１３Ｃを支持溝１８Ｂに挿入する作業が容易であると共に、ねじりコイルばね１３の弾発力によってケース１８の内壁部の支持溝１８Ｂに押し付けられたアーム部１３Ａ先端の被支持部１３Ｃが、支持溝１８Ｂの開口部および端部のいずれからも外れ難いものである。
【００３６】
（実施の形態３）
図８は本発明の第３の実施の形態による節度機構を備えたスイッチの下面図、図９はケースの部分断面拡大斜視図、図１０は同節度機構に使用されるねじりコイルばねの外観斜視図であり、上記の実施の形態１に対し、ケース２０の内壁部に軸支持孔２０Ａと平行に設けられた支持溝２０Ｂの形状が、軸支持孔２０Ａの方向が開口部となった開き角度９０°以下のＶ字形であると共に、駆動体２１を回動操作する際に、ねじりコイルばね２２のアーム部２２Ａ先端の被支持部２２Ｂが、支持溝２０Ｂの位置において回動する角度が支持溝２０Ｂの開き角度よりも小さいことは実施の形態２の場合と同様であるが、その下方の端部は壁部２０Ｃで塞がれており、また、軸支持孔２０Ａにより円形軸部２１Ａを回動可能に支持された駆動体２１からケース２０内への突出部２１Ｂに設けられた支持孔２１Ｃの形状および支持溝２０Ｂと支持孔２１Ｃに支持されたねじりコイルばね２２の形状が異なっている。
【００３７】
すなわち、駆動体２１の支持孔２１Ｃは、円形軸部２１Ａとは反対側に細径の円形孔と一体により大きな径の孔を設けた略ダルマ形となっており、また、ねじりコイルばね２２は支持溝２０Ｂに支持される側のアーム部２２Ａの先端に横方向への中間曲げ部２２Ｃを設け、さらに軸支持孔２０Ａと平行な方向に折り曲げた被支持部２２Ｂを設けた構成となっている。
【００３８】
そして、ねじりコイルばね２２の中間曲げ部２２Ｃの折り曲げ方向は、駆動体２１の回動操作時に、ケース２０の軸支持孔２０Ａの中心と、内壁部の支持溝２０Ｂと、駆動体２１の支持孔２１Ｃが一直線になる位置である駆動体２１の回動角度範囲の中点位置において、この直線と一致する方向に折り曲げられている。
【００３９】
本実施の形態による節度機構を備えたスイッチの動作は、実施の形態１の場合と同様であるので説明は省略するが、駆動体２１の回動操作時において、ねじりコイルばね２２の両端のアーム部２２Ａ，２２Ｄ先端の被支持部２２Ｂ，２２Ｅそれぞれの支持部である、ケース２０の支持溝２０Ｂにおいては、アーム部２２Ａおよび中間曲げ部２２ＣがＶ字形の壁部に当たることはなく、また駆動体２１の支持孔２１Ｃにおいては、被支持部２２Ｅは略ダルマ形の孔の細径部側の端部に押し付けられて動作するので、丸孔の支持孔の場合と同様に安定して支持することができる。
【００４０】
したがって、本実施の形態によれば、ねじりコイルばね２２を組み込む作業が容易であると共に、ねじりコイルばね２２の弾発力によってケース２０の支持溝２０Ｂに押し付けられたアーム部２２Ａ先端の被支持部２２Ｂが、支持溝２０Ｂの開口部および端部のいずれからも外れ難く、しかも節度機構部全体の高さ寸法を低くすることができ、さらに、ケース２０を製作する成形金型の構造を簡単にすることができるものである。
【００４１】
（実施の形態４）
図１１は本発明の第４の実施の形態による節度機構を備えたスイッチの下面図、図１２は同節度機構に使用されるねじりコイルばねの外観斜視図であり、上記の実施の形態３に対し、駆動体２１からケース２０内への突出部２１Ｂに設けられた略ダルマ形の支持孔２１Ｃの大径部側にビス２３がねじ込まれると共に、ねじりコイルばね２４の形状が異なっている。
【００４２】
すなわち、駆動体２１の略ダルマ形の支持孔２１Ｃの小径部側にはねじりコイルばね２４の一方のアーム部２４Ｂ先端の被支持部２４Ｄが挿入支持されているが、支持孔２１Ｃの大径部側にビス２３をねじ込むことによって、この被支持部２４Ｄが大径部側へ動くことを防ぐと共に、ビス２３の頭部によって被支持部２４Ｄが下方へ抜けることを防止するようになっている。
【００４３】
そして、ねじりコイルばね２４のアーム部２４Ｂの先端には、駆動体２１の回動操作時にアーム部２４Ｂがビス２３の頭部と接触しないように逃がすための中間曲げ部２４Ｆが、他方のアーム部２４Ａ先端と被支持部２４Ｃとの間の中間曲げ部２４Ｅと同様に設けられている。
【００４４】
以上のように、本実施の形態による節度機構を備えたスイッチは、実施の形態３による節度機構を備えたスイッチに対して、基本的な構成および駆動体２１の回動操作時の動作は変わらないが、ねじりコイルばね２４が外れることを確実に防止することができるものである。
【００４５】
【発明の効果】
以上のように本発明によれば、簡単な構成でありながら動作が確実で、操作時にねじりコイルばねがスムーズに動き良好な節度感が得られると共に、節度機構にねじりコイルばねを組み込む際の組み立てが容易にできる節度機構を備えたスイッチを実現できるという有利な効果が得られる。
【図面の簡単な説明】
【図１】本発明の第１の実施の形態による節度機構を備えたスイッチの側面断面図
【図２】同下面図
【図３】同分解斜視図
【図４】同要部であるケースの部分断面拡大斜視図
【図５】図２の状態から動作後の状態を説明する下面図
【図６】本発明の第２の実施の形態による節度機構を備えたスイッチの下面図
【図７】同要部であるケースの部分断面拡大斜視図
【図８】本発明の第３の実施の形態による節度機構を備えたスイッチの下面図
【図９】同要部であるケースの部分断面拡大斜視図
【図１０】同ねじりコイルばねの外観斜視図
【図１１】本発明の第４の実施の形態による節度機構を備えたスイッチの下面図
【図１２】同ねじりコイルばねの外観斜視図
【図１３】従来の節度機構を備えたスイッチの外観斜視図
【図１４】同節度機構部の要部断面図
【符号の説明】
１１，１８，２０  ケース
１１Ａ，１８Ａ，２０Ａ  軸支持孔
１１Ｂ  開口部
１１Ｃ，１８Ｂ，２０Ｂ  支持溝
１２，２１  駆動体
１２Ａ  つまみ部
１２Ｂ，２１Ａ  円形軸部
１２Ｃ  抜け止め用爪
１２Ｄ，２１Ｂ  突出部
１２Ｅ，２１Ｃ  支持孔
１２Ｆ  斜面
１３，２２，２４  ねじりコイルばね
１３Ａ，１３Ｂ，２２Ａ，２２Ｄ，２４Ａ，２４Ｂ  アーム部
１３Ｃ，１３Ｄ，２２Ｂ，２２Ｅ，２４Ｃ，２４Ｄ  被支持部
１４，１９  突部
１４Ａ，１９Ａ  隙間
１５  接点部
１５Ａ  駆動ピン
１６  基板
１６Ａ  端子
１７，２３  ビス
２０Ｃ  壁部
２２Ｃ，２４Ｅ，２４Ｆ  中間曲げ部
【図１】
0003921827.tif 000002
【図２】
0003921827.tif 000003
【図３】
0003921827.tif 000004
【図４】
0003921827.tif 000005
【図５】
0003921827.tif 000006
【図６】
0003921827.tif 000007
【図７】
0003921827.tif 000008
【図８】
0003921827.tif 000009
【図９】
0003921827.tif 000010
【図１０】
0003921827.tif 000011
【図１１】
0003921827.tif 000012
【図１２】
0003921827.tif 000013
【図１３】
0003921827.tif 000014
【図１４】
0003921827.tif 000015